(57)【特許請求の範囲】
【請求項１】
長方形状の１対の主面板と、前記１対の主面板の短辺間をつなぐ一対の妻板と、前記１対の主面板の長辺間をつなぐ第１側板及び第２側板とから構成されるカートンであって、
カートンの組立時に前記第１側板の外側に貼付される重合側板を有し、
前記重合側板の長手方向略中央部における端部を起点とし、該重合側板の短手方向を横断し、一方の主面板および前記第２側板を経由し、他方の主面板と前記第１側板との稜線を終点とするジッパーと、
前記第１側板と両主面板との稜線に沿って、前記ジッパー部分から一方の妻板面に到達する２本の破断線と、を設け、
減容化時には、前記第１側板が蓋として利用できる
ことを特徴とする、容量変更可能なカートン。
【請求項２】
長方形状の１対の主面板と、前記１対の主面板の短辺間をつなぐ一対の妻板と、前記１対の主面板の長辺間をつなぐ第１側板および第２側板とから構成されるカートンであって、
一方の主面板の長手方向略中央部における該主面板と前記第１側板との稜線を起点とし、該主面板の短手方向を横断し前記第２側板を経由し、他方の主面板と前記第１側板との稜線を終点とするジッパーと、
前記第１側板と両主面板との稜線に沿って、前記ジッパー部分から一方の妻板面に到達する２本の破断線と、を設け、
減容化時には、前記第１側板が蓋として利用できる
ことを特徴とする、容量変更可能なカートン。
【請求項３】
前記ジッパーと、各稜線とが為す角が各々略直角であることを特徴とする請求項１または請求項２記載のカートン。
【請求項４】
前記第１側板上の短手方向に罫線を設けたことを特徴とする請求項１記載のカートン。
【請求項５】
前記第１側板上に、前記ジッパーの始点と終点とを結ぶ罫線を設けたことを特徴とする請求項２記載のカートン。
【請求項６】
減容化時には、前記第１側板に設けられたフラップが差込部として機能することを特徴とする請求項４または請求項５記載のカートン。
【請求項７】
前記ジッパーおよび各破断線によって破断し、前記罫線を内側に折り込んだ際に、前記第２側板上における前記フラップが達する位置に切込みを設けたことを特徴とする請求項６記載のカートン。
【請求項８】
一方の妻板には、開封時に切り取り可能に設けられた開封用切り取り部が設けられていることを特徴とする請求項１乃至７記載のカートン。
【発明の詳細な説明】
【技術分野】
【０００１】
本発明は、内容物を使用した後に、収納されていた商品の半分又は一部を、そのまま収納した状態で、カートンを減容させて保管することができる減容化可能なカートンに関する。
【背景技術】
【０００２】
例えば、チーズ、バターなどの個包装された内容物を二個収納するカートンでは、一個取り出した後に、残りの一個をカートン内に収納したままで冷蔵庫などに保存する場合がある。従来は、このような場合に、カートンを、余分なスペースがあるままの大きさで保管したり、余分なスペースを適当に折り畳んだり、または鋏で切り取って保管していた。
【０００３】
しかしながら、上述した内容物を一個取り出した状態のカートンをそのまま保管することは、無駄な保管スペースをとるという問題があった。また、余分なスペースを折り畳んだカートンは、保管中に折り畳んだ部分が元に戻ったりするという問題があった。また、余分なスペースを鋏で切り取ったカートンは、保管中や取り扱うときに、切り口から収納する内容物がはみ出したり、落ちたりするという問題があった。
そこで、内容物の容量に合わせて減容化できるカートンが提案されている（例えば、特許文献１）。
【先行技術文献】
【特許文献】
【０００４】
【特許文献１】特開２００８−３０７５７号公報
【発明の概要】
【発明が解決しようとする課題】
【０００５】
しかしながら、特許文献１に記載のような減容化可能なカートンでは、カートン中央部付近に設けたジッパー部から開封する構成となっている。そのため、例えば、二つの内容物のうち、一つを完全に使用しなかった場合には、ジッパー部が開封されてしまっているために、両方の内容物を再封することができないという問題がある。
【０００６】
そこで、本発明は、減容化しない状態で複数の個包装された内容物を収納し再封することができ、さらに、例えば内容物の一つを使用した場合には、カートンを減容化した上で残りの内容物を収納し再封することができる減容化可能なカートンを提供することを目的とする。
【課題を解決するための手段】
【０００７】
本発明は以下の構成によるものである。
（１）長方形状の１対の主面板と、前記１対の主面板の短辺間をつなぐ一対の妻板と、前記１対の主面板の長辺間をつなぐ第１側板及び第２側板とから構成されるカートンであって、カートンの組立時に前記第１側板の外側に貼付される重合側板を有し、前記重合側板の長手方向略中央部における端部を起点とし、該重合側板の短手方向を横断し、一方の主面板および前記第２側板を経由し、他方の主面板と前記第１側板との稜線を終点とするジッパーと、前記第１側板と両主面板との稜線に沿って、前記ジッパー部分から一方の妻板面に到達する２本の破断線と、を設け、減容化時には、前記第１側板が蓋として利用できることを特徴とする、容量変更可能なカートン。
【０００８】
（２）長方形状の１対の主面板と、前記１対の主面板の短辺間をつなぐ一対の妻板と、前記１対の主面板の長辺間をつなぐ第１側板および第２側板とから構成されるカートンであって、一方の主面板の長手方向略中央部における該主面板と前記第１側板との稜線を起点とし、該主面板の短手方向を横断し前記第２側板を経由し、他方の主面板と前記第１側板との稜線を終点とするジッパーと、前記第１側板と両主面板との稜線に沿って、前記ジッパー部分から一方の妻板面に到達する２本の破断線と、を設け、減容化時には、前記第１側板が蓋として利用できることを特徴とする、容量変更可能なカートン。
（３）前記ジッパーと、各稜線とが為す角が各々略直角であることを特徴とする（１）または（２）記載のカートン。
【０００９】
（４）前記第１側板上の短手方向に罫線を設けたことを特徴とする（１）記載のカートン。
（５）前記第１側板上に、前記ジッパーの始点と終点とを結ぶ罫線を設けたことを特徴とする（２）記載のカートン。
（６）減容化時には、前記第１側板に設けられたフラップが差込部として機能することを特徴とする（４）または（５）記載のカートン。
【００１０】
（７）前記ジッパーおよび各破断線によって破断し、前記罫線を内側に折り込んだ際に、前記第２側板上における前記フラップが達する位置に切込みを設けたことを特徴とする（６）記載のカートン。
（８）一方の妻板には、開封時に切り取り可能に設けられた開封用切り取り部が設けられていることを特徴とする（１）乃至（７）記載のカートン。
【発明の効果】
【００１１】
本発明のカートンは、複数の個包装された内容物を収納し再封することができ、例えば内容物の一つを使用した場合には、カートンを減容量した上で残りの内容物を収納し再封することができる。
【図面の簡単な説明】
【００１２】
【図１】本発明の第１実施形態にかかるカートンのブランク状態を示す展開平面図。
【図２】前記実施形態にかかるカートンの組立完了状態を第１側板および開封口が見えるように示す斜視図。
【図３】前記実施形態にかかるカートンの組立完了状態を前記図２で示されていない部分が見えるように示す斜視図。
【図４】前記実施形態にかかるカートンの開封途中の状態を示す斜視図。
【図５】前記実施形態にかかるカートンを開封した状態を示す斜視図。
【図６】前記実施形態にかかるカートンの減容化途中の状態を示す斜視図。
【図７】前記実施形態にかかるカートンを減容化した際の残部を示す斜視図。
【図８】前記実施形態にかかるカートンを減容化した状態を示す斜視図。
【図９】前記実施形態にかかる減容化後のカートンを再封した状態を示す斜視図。
【図１０】本発明の第２実施形態にかかるカートンのブランク状態を示す展開平面図。
【発明を実施するための形態】
【００１３】
本発明の第１のカートンは、長方形状の１対の主面板と、前記１対の主面板の短辺間をつなぐ一対の妻板と、前記１対の主面板の長辺間をつなぐ第１側板及び第２側板とから構成されるカートンであって、カートンの組立時に前記第１側板の外側に貼付される重合側板を有し、前記重合側板の長手方向略中央部における端部を起点とし、該重合側板の短手方向を横断し、前記一方の主面板および前記第２側板を経由し、他方の主面板と前記第１側板との稜線を終点とするジッパーと、前記第１側板と両主面板との稜線に沿って、前記ジッパー部分から一方の妻板面に到達する２本の破断線とを設けたことを特徴とする容量変更可能なものである。
また、本発明の第２のカートンは、長方形状の１対の主面板と、前記１対の主面板の短辺間をつなぐ一対の妻板と、前記１対の主面板の長辺間をつなぐ第１側板および第２側板とから構成されるカートンであって、一方の主面板の長手方向略中央部における該主面板と前記第１側板との稜線を起点とし、該主面板の短手方向を横断し前記第２側板を経由し、他方の主面板と前記第１側板との稜線を終点とするジッパーと、前記第１側板と両主面板との稜線に沿って、前記ジッパー部分から一方の妻板面に到達する２本の破断線とを設けたことを特徴とする容量変更可能なものである。
本発明においては、減容化時には、前記破断線によって、前記破断線により区画形成される部分を切り取って、減容化後のカートンとする。また、減容化後のカートンにおいては、このカートンに残る第１側板が蓋として機能することで、減容化後のカートンを再封することができる。
【００１４】
本発明のカートンにおいては、前記ジッパーと、各稜線とが為す角が各々略直角であることが好ましい。
このようにジッパーと、各稜線とが為す角が各々略直角であることにより、内容物に合わせた減容化が可能となる。
【００１５】
本発明のカートンにおいては、減容化時には、前記第１側板が蓋として利用でき、前記第１側板に設けられたフラップが差込部として機能することが好ましい。
このようにして、減容化後のカートンを再封することができる。
【００１６】
本発明の第１のカートンにおいては、前記第１側板上の短手方向に罫線を設けてもよい。
また、本発明の第２のカートンにおいては、前記第１側板上に、前記ジッパーの始点と終点とを結ぶ罫線を設けてもよい。
このような罫線を設けることにより、減容化後のカートンに残る第１側板を蓋として機能させる際に、容易に折り込みが可能となる。
【００１７】
本発明のカートンにおいては、前記ジッパーおよび各破断線によって破断し、前記罫線を内側に折り込んだ際に、前記第２側板上における前記フラップが達する位置に切込みを設けてもよい。このような構成により、第１側板に設けられたフラップを、第２主面板に設けられた切込みに差し込むことで、減容化後のカートンを再封することができる。
なお、このような切込み部を設けず、第１側板に設けられたフラップを直接カートン内に入れ込むことで再封するという態様をとることも可能である。
【００１８】
本発明のカートンにおいては、一方の妻板には、開封時に切り取り可能に設けられた開封用切り取り部を設けても良い。このような構成とすれば、開封時には開封用切り取り部を切り取った後に、一方の妻板を開封口として内容物を取り出すことができる。一方で、この開封用切り取り部を切り取らない限りは、一方の妻板を開封できないようにしておけば、意図しない開封を抑制できる。
【００１９】
［第１実施形態］
以下、本発明の第１実施形態を図面に基づいて詳細に説明する。図１〜図９は、本発明のカートンを説明するための図である。
【００２０】
本実施形態にかかるカートンは、図１に示すブランクＰを折り畳んで形成することができる。このブランクＰは、板紙などのシート材を打抜き加工して形成することができる。
このブランクＰは、折線Ｌ１，Ｌ２，Ｌ３，Ｌ４を介して第１側板１、第２主面板２、第２側板３、第１主面板４、重合側板５を順に連設し、第１側板１および第２側板３の上下両端には折線Ｌ９，Ｌ１１，Ｌ５，Ｌ７を介してそれぞれフラップである天部耳片６，１０、底部耳片７，１１を連設し、第２主面板２の上下両端には折線Ｌ１０，Ｌ６を介してそれぞれ妻板８、妻板９を連設し、第１主面板４の上下両端には折線Ｌ１２，Ｌ８を介してそれぞれ重合妻板１２、重合妻板１３を連設している。また、妻板８の上部と妻板９の下部には、折線Ｌ１３，Ｌ１４が設けられている。
重合側板５の長手方向略中央部における端部を起点とし、重合側板５の短手方向を横断し、第１主面板４および第２側板３を経由し、第２主面板２と第１側板１との稜線を終点とするジッパー用破断線Ｌ１６，Ｌ１７，Ｌ１８，Ｌ１９が穿設されている。また、ジッパー用破断線Ｌ１６，Ｌ１７，Ｌ１８，Ｌ１９と平行に、重合側板５の端部を起点とし、重合側板５の短手方向を横断し、第１主面板４および第２側板３を経由し、第２主面板２と第１側板１との稜線を終点とするジッパー用破断線Ｌ２０，Ｌ２１，Ｌ２２，Ｌ２３が穿設されている。また、ジッパー用破断線Ｌ１９およびＬ２３の端点を結ぶジッパー用破断線Ｌ２４が穿設されている。そして、これらジッパー用破断線Ｌ１６〜Ｌ２４および重合側板５の長手方向略中央部における端部により、ジッパーａ，ｂ，ｃ，ｄが区画形成されている。なお、重合側板５の長手方向略中央部における端部の近傍には、切り欠き５１が設けられている。
第１側板１と第１主面板４および第２主面板２との稜線に沿って、直線状に、ジッパーａ，ｂ，ｃ，ｄから妻板８または重合妻板１２に到達するまで、それぞれ第１破断線Ｌ２５および第２破断線Ｌ２６が穿設されている。
重合妻板１２と第１主面板４の稜線に沿って直線状にジッパー用破断線Ｌ２７が穿設されている。また、重合妻板１２には、ジッパー用破断線Ｌ２７と平行に、その短手方向にわたり直線状にジッパー用破断線Ｌ２８が穿設されている。そして、ジッパー用破断線Ｌ２７，Ｌ２８により、開封時に切り取り可能に設けられた開封用切り取り部ｅが区画形成されている。
第１側板１上には、ジッパー用破断線Ｌ１９の端点と、ジッパー用破断線Ｌ１６の端点とを結ぶ罫線Ｌ２９が設けられている。また、罫線Ｌ２９の天部耳片６側かつ罫線Ｌ２９から第１主面板４の短手方向の長さ分離れた位置が、折線Ｌ９上となるようになっている。罫線Ｌ２９から天部耳片６までの距離寸法は、第１主面板４の短手方向の長さ寸法と等しくなっている。
第２側板３上には、ジッパーａ，ｂ，ｃ，ｄ、並びに第１破断線Ｌ２５および前記第２破断線Ｌ２６によって破断し、罫線Ｌ２９および折線Ｌ９を内側に折り込んだ際に、フラップである天部耳片６が達する位置に切込み３１が設けられている。
【００２１】
図２は、本実施形態にかかるカートンの組立完了状態を第１側板および開封口が見えるように示す斜視図である。また、図３は、本実施形態にかかるカートンの組立完了状態を前記図２で示されていない部分が見えるように示す斜視図である。
ブランクＰからの組立に際して、先ず折線Ｌ１およびＬ３を用いて折り曲げ、重合側板５と第１側板１の貼着により接続を行い平板な筒状を形成する。次に折線Ｌ１、Ｌ２、Ｌ３、Ｌ４を用いて紙箱を角筒状に起立させ、底部耳片７，１１、妻板９、重合妻板１３を折線Ｌ５，Ｌ７，Ｌ１４，Ｌ６，Ｌ８を用いて順に折り立て、所定位置を貼着して底部を閉鎖形成する。次いで、チーズなどの内容物を収納した後、天部耳片６，１０、妻板８、重合妻板１２を折線Ｌ９，Ｌ１１，Ｌ１３，Ｌ１０，Ｌ１２を用いて順に折り立て、所定位置を貼着し天部を閉鎖形成して組立を完了する。ここで、ジッパーａ，ｂ，ｃ，ｄと、各稜線とが為す角が略直角であることが好ましい。
【００２２】
図４は、本実施形態にかかるカートンの開封途中の状態を示す斜視図である。図５は、本実施形態にかかるカートンを開封した状態を示す斜視図である。
図４に示すように、開封用切り取り部ｅを引き上げ、ジッパー用破断線Ｌ２７，Ｌ２８を用いて順に破断し、開封用切り取り部ｅをカートンから切除する。次いで、図５に示すように、妻板８をカートンから引き抜くと開口部が形成され、これを開封口として内容物を取り出すことができる。このとき、収納されている内容物が一部露出するが、内容物については、以下説明する図面を含め図示は省略している。
本実施形態においては、妻板９は重合妻板１３に貼着されており、妻板９からは容易に開封できないようになっている。そのため、開封用切り取り部ｅを切り取らない限りは、容易に開封できず、意図しない開封を抑制できる。
また、本実施形態においては、妻板８を開封口として内容物を取り出し、また、使用途中の内容物を収納し、妻板８をカートンに差し込むことで、再封することができる。
【００２３】
図６は、本実施形態にかかるカートンの減容化途中の状態を示す斜視図である。図７は、本実施形態にかかるカートンを減容化した際の残部を示す斜視図である。図８は、本実施形態にかかるカートンを減容化した状態を示す斜視図である。前述のように、妻板８を開封口として内容物を取り出し、例えば、複数の個包装された内容物の一つを完全に使用した場合には、本実施形態にかかるカートンを減容化し、残りの一部の内容物を収納して再封することができる。
カートンを減容化する場合には、先ず図６に示すように、ジッパーａ，ｂ，ｃ，ｄを引き上げ、ジッパー用破断線Ｌ１６〜Ｌ２４を用いて破断し、ジッパーａ，ｂ，ｃ，ｄをカートンから切除する。その後、第１破断線Ｌ２５および第２破断線Ｌ２６を用いて破断し、図７に示すような残部をカートンから切除する。このようにして、図８に示すように、カートンを減容化することができる。
【００２４】
図９は、本実施形態にかかる減容化後のカートンを再封した状態を示す斜視図である。
図９に示すように、罫線Ｌ２９を山折りして蓋部ｆで開口部を覆うと共に、折線Ｌ９を山折りして、フラップである天部耳片６を第２側板３の切込み３１に重合状態とする。このようにして、減容化後のカートンに一部の内容物を収納し、再封することができる。
また、図示は省略したが、再開放に際しては、前述した再封操作の手順を逆にたどることとなる。すなわち、天部耳片６と切込み４１との重合状態を解き、蓋部ｆをカートンから引き離すことで開口部が形成される。
【００２５】
以上のような本実施形態によれば、次のような効果が得られる。
（１）本実施形態においては、減容化時には、ジッパーａ，ｂ，ｃ，ｄ、並びに第１破断線Ｌ２５および第２破断線Ｌ２６によって、これらの破断線により区画形成される部分を切り取って、減容化後のカートンとすることができる。また、減容化後のカートンにおいては、このカートンに残る第１側板１の一部が蓋部ｆとして機能することで、減容化後のカートンを再封することができる。
（２）ジッパーａ，ｂ，ｃ，ｄと、各稜線とが為す角が略直角であることにより、内容物に合わせた減容化が可能となる。
（３）減容化時には、第１側板１が蓋として利用でき、第１側板１に設けられた天部耳片６が差込部として機能することで、減容化後のカートンを再封することができる。
（４）第１側板１に、罫線Ｌ２９を設けることにより、減容化後のカートンに残る第１側板１の一部を蓋部ｆとして機能させる際に、容易に折込むことが可能となる。
（５）ジッパー用破断線Ｌ１６〜Ｌ２４、第１破断線Ｌ２５および第２破断線Ｌ２６を用いて破断し、罫線Ｌ２９を内側に折り込んだ際に、第２側板３上における天部耳片６が達する位置に切込み３１を設けたことにより、天部耳片６を、第２側板３に設けられた切込み３１に差し込むことで、減容化後のカートンを再封することができる。
（６）妻板９は重合妻板１３に貼着されており、妻板９からは容易に開封できないようになっているため、開封用切り取り部ａを切り取らない限りは、容易に開封できず、意図しない開封を抑制できる。
【００２６】
［第２実施形態］
次に、本発明の第２実施形態を図面に基づいて詳細に説明する。図１０は、第２実施形態にかかるカートンのブランク状態を示す展開平面図である。
第２実施形態は、（i）ブランクＰＡにおいて、貼着板５Ａ、第１側板１、第２主面板２、第２側板３、第１主面板４を順に連設する点、および（ii）ブランクＰＡからの組立に際して、先ず折線Ｌ２およびＬ４Ａを用いて折り曲げ、貼着板５Ａと第１主面板４の貼着により接続を行い平板な筒状を形成する点で前記第１実施形態と相違する。このため、前記第１実施形態と同一または同様の構成については説明を省略する。
【００２７】
本実施形態にかかるカートンは、図１０に示すブランクＰＡを折り畳んで形成することができる。
ブランクＰＡにおいては、第１主面板４の長手方向略中央部における第１主面板４と第１側板１との稜線を起点とし、第１主面板４の短手方向を横断し第２側板３を経由し、第２主面板２と第１側板１との稜線を終点とするジッパー用破断線Ｌ１６Ａ，Ｌ１７，Ｌ１８，Ｌ１９が穿設されている。また、ジッパー用破断線Ｌ１７，Ｌ１８，Ｌ１９と平行に、第１主面板４と第１側板１との稜線を起点とし、第１主面板４の短手方向を横断し第２側板３を経由し、第２主面板２と第１側板１との稜線を終点とするジッパー用破断線Ｌ２１，Ｌ２２，Ｌ２３が穿設されている。また、ジッパー用破断線Ｌ１９およびＬ２３の端点を結ぶジッパー用破断線Ｌ２４が穿設されている。また、貼着板５Ａにも、ジッパー用破断線Ｌ１６Ａ，Ｌ２０Ａが穿設されている。そして、これらジッパー用破断線Ｌ１６Ａ〜Ｌ２４により、ジッパーａ，ｂ，ｃ，ｇが区画形成されている。
第１側板１と第１主面板４および第２主面板２との稜線に沿って、直線状に、ジッパーａ，ｂ，ｃ，ｇから妻板８に到達するまで、それぞれ第１破断線Ｌ２５Ａおよび第２破断線Ｌ２６が穿設されている。
また、第１側板１上には、ジッパー用破断線Ｌ１９の端点と、ジッパー用破断線Ｌ１６Ａの端点とを結ぶ罫線Ｌ２９が設けられている。
ブランクＰＡからの組立に際しては、先ず折線Ｌ２およびＬ４Ａを用いて折り曲げ、貼着板５Ａと第１主面板４の貼着により接続を行い平板な筒状を形成する以外は、第１実施形態と同様にして、ブランクＰＡからの組立を実施する。
このような第２実施形態によれば、前記第１実施形態で得られる効果と同様の効果を得られる。
【００２８】
なお、本発明は前述の実施形態に限定されるものではなく、本発明の目的を達成できる範囲での変形、改良などは本発明に含まれるものである。
例えば、前記実施形態では、罫線Ｌ２９から天部耳片６までの距離寸法が、第１主面板４の短手方向の長さ寸法と等しくなっているために、第１側板１の一部を蓋部ｆとして機能させる際に、罫線Ｌ２９および折線Ｌ９を用いたが、これに限定されない。必要に応じて、折線Ｌ９の他に、別途罫線を設けてもよい。
【産業上の利用可能性】
【００２９】
本発明は、チーズ、バターなどのカートンとして好適に利用することができる。
【符号の説明】
【００３０】
１…第１側板
２…第２主面板
３…第２側板
４…第１主面板
５…重合側板
５Ａ…貼着板
６，１０…天部耳片
７，１１…底部耳片
８…妻板９…妻板
ａ，ｂ，ｃ，ｄ…ジッパー
ａ，ｂ，ｃ，ｇ…ジッパー
ｅ…開封用切り取り部
Ｐ，ＰＡ…ブランク
Ｌ１６，Ｌ１６Ａ，Ｌ１７，Ｌ１８，Ｌ１９，Ｌ２０，Ｌ２０Ａ，Ｌ２１，Ｌ２２，Ｌ２３，Ｌ２４…ジッパー用破断線
Ｌ２５，Ｌ２５Ａ…第１破断線
Ｌ２６…第２破断線
Ｌ２７，Ｌ２８…ジッパー用破断線
Ｌ２９…罫線
【図１】
0005826610.tif 000002
【図２】
0005826610.tif 000003
【図３】
0005826610.tif 000004
【図４】
0005826610.tif 000005
【図５】
0005826610.tif 000006
【図６】
0005826610.tif 000007
【図７】
0005826610.tif 000008
【図８】
0005826610.tif 000009
【図９】
0005826610.tif 000010
【図１０】
0005826610.tif 000011